(57)【要約】【課題】防振ゴムを介して振動を発生する機器を取付対象物に取付ネジによって固定する時、防振ゴムが回転してねじれるのを防ぎ、防振ゴムの防振性能が低下するのを防ぐことができること。【解決手段】円柱部４１と、円柱部４１の上端に形成された上端板４２と、円柱部４１の下端に形成された下端板４３とを備え、上端板４２および下端板４３の円柱部４１の軸Ｏに垂直な断面（Ａ−Ａ断面、Ｂ−Ｂ断面）の面積Ｓ１、Ｓ２が、円柱部４１の軸Ｏに垂直な円柱部４１の断面（Ｃ−Ｃ断面）の面積Ｓ３よりも大きい防振ゴム４であって、防振ゴム４は、円柱部４１の軸方向に貫通するネジ挿通孔４４と、円柱部４１の外周面４１１から突出し上端板４２と下端板４３を連結する連結壁４５とを備えたことを特徴とする。【選択図】図４
2017057907.tif 000002
【特許請求の範囲】
【請求項１】
円柱部と、前記円柱部の上端に形成された上端板と、前記円柱部の下端に形成された下端板とを備え、前記上端板および前記下端板の前記円柱部の軸に垂直な断面の面積が、前記円柱部の軸に垂直な前記円柱部の断面の面積よりも大きい防振ゴムであって、
前記防振ゴムは、前記円柱部の軸方向に貫通するネジ挿通孔と、前記円柱部の外周面から突出し前記上端板と前記下端板を連結する連結壁とを備えたことを特徴とする防振ゴム。
【発明の詳細な説明】
【技術分野】
【０００１】
本発明は、振動を発生する機器と振動を発生する機器が取付けられる取付対象物との間に設けられ、振動を発生する機器から取付対象物への振動の伝達を抑制する防振ゴムに関する。
【背景技術】
【０００２】
従来、空気調和機の室外機は、外気を吸い込み冷媒と熱交換させた後、室外機から吹き出すための送風機が搭載されており、この送風機は、プロペラファンとプロペラファンに連結される振動を発生する機器であるモータとを備えている。このモータは、室外機の底板に立設される取付対象物であるモータ取付台に固定されており、モータから発生する振動がモータ取付台に伝達されるのを抑制して室外機の静粛性を高める必要がある。そこで、この対策として、防振ゴムを介してモータをモータ取付台に固定するものが知られている。
【０００３】
このように、防振ゴムを介してモータをモータ取付台に固定する構造として、例えば、モータは筐体の外面から突出する複数のフランジ部を有し、フランジ部は防振ゴムが嵌合される嵌合孔と嵌合孔に防振ゴムを嵌め込むために切り欠かれたスリットとを備えている。防振ゴムは、外観がボビン状であり、円柱部と、円柱部の上端に形成された円形状の上端板と、円柱部の下端に形成された円形状の下端板とを備え、上端板および下端板の円柱部の軸に垂直な断面の面積が、円柱部の軸に垂直な円柱部の断面の面積よりも大きい構造になっている。また、防振ゴムは、円柱部の軸方向に貫通するネジ挿通孔を備え、ネジ挿通孔に取付ネジが挿通される。モータ取付台は、モータのフランジ部の位置に対応する箇所に、ネジ挿通孔に挿通された取付ネジが螺着されるネジ孔を備えている。（例えば、特許文献１参照）。
【０００４】
この防振ゴムは、モータをモータ取付台に固定する時、円柱部をフランジ部のスリットを経由して嵌合孔に嵌め込んで嵌合させた後、モータ取付台のネジ孔にネジ挿通孔が一致するように下端板を位置決めし、ネジ挿通孔に上端板側より取付ネジを挿通して取付ネジが締め付けられる。この取付ネジの締め付けによって、下端板がモータ取付台に圧接され、上端板が取付ネジに圧接された状態で、モータは、防振ゴムを介してモータ取付台に固定される。このため、モータから発生する振動が防振ゴムにより吸収されモータ取付台に伝達されるのを抑制する効果がある。
【０００５】
しかしながら、特許文献１に示す防振ゴムでは、モータをモータ取付台に取付ネジによって固定する時、電動ドライバーなどの電動工具を用いて取付ネジを締め付けていくと、取付ネジの回転につられて防振ゴムが回転してしまうことがあった。例えば、防振ゴムの円柱部をフランジ部の嵌合孔に嵌合させた後、ネジ挿通孔に取付ネジを挿通しておき、取付ネジをモータ取付台のネジ孔に位置決めして取付ネジを締め付ける場合を考える。
【０００６】
この場合、取付ネジを締め付けて行くにしたがい、防振ゴムの上端板と取付ネジの座面との接触による摩擦力が大きくなり、また、防振ゴムの下端板とモータ取付台の接触による摩擦力が大きくなる。このため、取付ネジとともに防振ゴムの上端板が回転して防振ゴムの円柱部がねじれる（最悪の場合に防振ゴムの円柱部がねじ切れる）おそれがあった。この結果、モータは、防振ゴムがねじれた状態でモータ取付台に固定されるため、防振ゴムの防振性能が低下し、モータから発生する振動がモータ取付台に伝達されるのを防振ゴムにより十分に抑制することができなかった。
【先行技術文献】
【特許文献】
【０００７】
【特許文献１】特開平１０−１１０６９９号公報
【発明の概要】
【発明が解決しようとする課題】
【０００８】
本発明は上記問題点に鑑み、防振ゴムを介して振動を発生する機器を取付対象物に取付ネジによって固定する時、防振ゴムが回転してねじれるのを防ぎ、防振ゴムの防振性能が低下するのを防ぐことができる防振ゴムを提供することを目的とする。
【課題を解決するための手段】
【０００９】
上記課題を解決するために、本発明の防振ゴムは、円柱部と、円柱部の上端に形成された上端板と、円柱部の下端に形成された下端板とを備え、上端板および下端板の円柱部の軸に垂直な断面の面積が、円柱部の軸に垂直な円柱部の断面の面積よりも大きいものであって、防振ゴムは、円柱部の軸方向に貫通するネジ挿通孔と、円柱部の外周面から突出し上端板と下端板を連結する連結壁とを備えたことを特徴とする。
【発明の効果】
【００１０】
本発明の防振ゴムによれば、防振ゴムを介して振動を発生する機器を取付対象物に取付ネジによって固定する時、防振ゴムが回転してねじれ、防振ゴムの防振性能が低下するのを防ぐことができる。
【図面の簡単な説明】
【００１１】
【図１】本発明の防振ゴムを介してモータをモータ取付台に取付ネジによって固定する構成を示す説明図である。
【図２】本発明の防振ゴムを介してモータをモータ取付台に取付ネジによって固定する構成を示す正面図である。
【図３】本発明の防振ゴムが嵌合されるモータ筐体のフランジ部を示す説明図である。
【図４】本発明の防振ゴムを示す説明図であり、（ａ）は上面図、（ｂ）は側面図、（ｃ）は斜視図、（ｄ）は（ｂ）に示すＡ−Ａ断面図、（ｅ）は（ｂ）に示すＢ−Ｂ断面図、（ｆ）は（ｂ）に示すＣ−Ｃ断面図である。
【図５】本発明の防振ゴムがモータ筐体のフランジ部に嵌合された状態を示す説明図であり、（ａ）は上面図、（ｂ）は側面図である。
【発明を実施するための形態】
【００１２】
以下、本発明の実施形態を添付図面に基づき詳細に説明する。図１乃至図５は、本実施形態における防振ゴムを介して振動発生機器を取付対象物に取付ネジによって固定する構成を説明する図である。本実施形態では、空気調和機の室外機を例に説明する。室外機は、外気を吸い込み冷媒と熱交換させた後、室外機から吹き出すための送風機が搭載されており、送風機は、図１および図２に示すように、プロペラファン１とプロペラファン１に連結される振動を発生する機器であるモータ２とを備えている。モータ２は、室外機の底板に立設される取付対象物としてのモータ取付台３に固定されている。このモータ２は、モータ２から発生する振動がモータ取付台３に伝達されるのを抑制するために防振ゴム４を介してモータ取付台３に固定されている。
【００１３】
モータ２は、図２および図３に示すように、防振ゴム４を介してモータ２をモータ取付台３に固定するための構造として、モータ筐体２１の外面から突出する４つのフランジ部２２が形成されている。４つのフランジ部２２はそれぞれ、防振ゴム４が嵌合される円形状の嵌合孔２２１と、嵌合孔２２１に防振ゴム４を嵌め込むためにフランジ部２２の外縁２２３と嵌合孔２２１をつなぐスリット２２２とが形成されている。このフランジ部２２には、防振ゴム４がスリット２２２を経由して嵌合孔２２１に嵌合されるようになっている。
【００１４】
防振ゴム４は、図４に示すように、円柱部４１と、円柱部４１の上端に形成された円形状の上端板４２と、円柱部４１の下端に形成された円形状の下端板４３と、円柱部４１の軸方向に貫通するネジ挿通孔４４とを備えている。また、図４（ｂ）に示すＡ−Ａ断面、Ｂ−Ｂ断面およびＣ−Ｃ断面である図４（ｄ）、図４（ｅ）および図（ｆ）に示すように、上端板４２および下端板４３の円柱部４１の軸Ｏに垂直な断面の面積Ｓ１、Ｓ２が、円柱部４１の軸Ｏに垂直な円柱部４１の断面の面積Ｓ３よりも大きい構造になっている。さらに、防振ゴム４は、円柱部４１の外周面４１１から径方向に突出し上端板４２と下端板４３を連結する連結壁４５を備えている。連結壁４５は上端板４２と下端板４３の外周端４２１、４３１まで延びるように連結されている。この防振ゴム４には、ネジ挿通孔４４に取付ネジ５が挿通されるようになっている。
【００１５】
取付ネジ５は、図１および図２に示すように、ネジ頭部５１にフランジ５２が付いた段付ネジになっている。モータ取付台３は、図１および図２に示すように、モータ筐体２１の外周が嵌め込まれモータ２を固定するための一対のモータ固定板３１が左右のフレーム３３に形成されている。このモータ固定板３１の周囲には、モータ筐体２１の４つのフランジ部２２の位置に対応する箇所に、防振ゴム４のネジ挿通孔４４に挿通された取付ネジ５が螺合される４つのネジ孔３２を備えている。
【００１６】
次に、図１乃至図５を用いて防振ゴム４を介してモータ２をモータ取付台３に取付ネジ５によって固定する手順について説明する。始めに、図５に示すように、防振ゴム４の円柱部４１を、モータ筐体２１のフランジ部２２のスリット２２２を経由してフランジ部２２の嵌合孔２２１に嵌め込んで嵌合させるとともに、防振ゴム４の連結壁４５を、モータ筐体２１のフランジ部２２のスリット２２２に嵌合させる。ここで、防振ゴム４の円柱部４１の直径寸法が、モータ筐体２１のフランジ部２２のスリット２２２の幅寸法よりも大きいため、円柱部４１がスリット２２２を経由するとき、円柱部４１の直径寸法がスリット２２２の幅寸法になるように圧縮変形され、円柱部４１を嵌合孔２２１に嵌め込んで嵌合させたとき、円柱部４１の直径寸法が元に戻って圧縮変形が解除される。次に、防振ゴム５の下端板４３側を、ネジ挿通孔４４と取付ネジ５とがモータ取付台３のネジ孔３２に一致するように位置決めする。次に、防振ゴム４のネジ挿通孔４４に上端板４２側から取付ネジ５を挿通する。最後に、電動ドライバーなどの電動工具（図示せず）を用いて取付ネジ５を締め付ける。
【００１７】
モータ２は、取付ネジ５の締め付けによって、モータ取付台３と取付ネジ５のネジ頭部５１に付いたフランジ５２との間で防振ゴム４が圧縮された状態で、防振ゴム４を介してモータ取付台３に固定される。言い換えると、モータ２は、取付ネジ５の締め付けによって、下端板４３がモータ取付台３に圧接され、上端板４２が取付ネジ５のネジ頭部５１に付いたフランジ５２に圧接された状態で、防振ゴム４を介してモータ取付台３に固定される。
【００１８】
この場合、背景技術に記載したように、取付ネジ５を締め付けて行くにしたがい、防振ゴム４の上端板４２と取付ネジ５のネジ頭部５１に付いたフランジ５２（座面）との接触により生じる摩擦力が大きくなり、また、防振ゴム４の下端板４３とモータ取付台３との接触により生じる摩擦力が大きくなる。この結果、防振ゴム４の下端板４３側がモータ取付台３に固定され、防振ゴム４の上端板４２側が取付ネジ５と一緒に回転して円柱部４１に伝達され円柱部４１がねじれることになる。しかしながら、本実施形態による防振ゴム４は、円柱部４１の外周面４１１から径方向に突出し上端板４２と下端板４３が連結された連結壁４５が、モータ筐体２１のフランジ部２２のスリット２２２に嵌合されているため、取付ネジ５の締め付けとともに防振ゴム４の上端板４２が回転しようとするが、連結壁４５によって防振ゴム４の上端板４２の回転が阻止される。
【００１９】
この結果、本実施形態による防振ゴム４によれば、防振ゴム４を介してモータ２をモータ取付台３に取付ネジ５によって固定する時、取付ネジ５とともに防振ゴム４の上端板４２が回転して防振ゴム４の円柱部４１がねじれることがなくなり、モータ２が防振ゴム４がねじれた状態でモータ取付台３に固定されることがないため、防振ゴム４の防振性能が低下するのを防ぐことができる。また、取付ネジ５とともに防振ゴム４の上端板４２が回転して、最悪の場合、防振ゴム４の円柱部４１がねじ切れることもないため、防振ゴムが破損するのを防ぐことができ、防振ゴム４の防振性能が低下するのを防ぐことができる。さらに、取付ネジ５を締め付けていくにしたがい、ネジ頭部５１に付いたフランジ５２（座面）と防振ゴム４の上端板４２とが接触し始め、防振ゴム４の下端板４３とモータ取付台３とが接触し始めるが、これらの接触により生じる摩擦力はまだ小さいため、取付ネジ５と一緒に防振ゴム４全体が回転するおそれがあり、防振ゴム４がモータ筐体２１のフランジ部２２との接触で擦れたり削れたりするのを防ぐことができ、防振ゴム４の防振性能が低下するのを防ぐことができる。
【００２０】
なお、本実施形態では、防振ゴム４は、円形状の上端板４２および下端板４３を備えるようにしたが、本発明はこれに限らず、外観がボビン状であれば、円形状以外の四角形状や六角形状などの上端板および下端板を備えるようにしてもよい。また、本実施形態では、防振ゴム４の連結壁４５を上端板４２と下端板４３の外周端４２１、４３１まで延びるように形成したが、本発明はこれに限らず、円柱部４１の外周面４１１から突出してスリット２２２と嵌合できれば、連結壁４５を円柱部４１の外周面４１１から上端板４２の外周端４２１と下端板４３の外周端４３１を結ぶ外周面に向かう途中まで径方向に延びるように形成してもよい。また、本実施形態では、連結壁４５の円柱部４１の軸Ｏに垂直な断面の形状は、長方形状になっているが、本発明はこれに限らず、フランジ部２２のスリット２２２の形状に合わせて台形状や扇状などでもよい。さらに、本実施形態では、取付ネジ５がネジ頭部５１にフランジ５２が付いた段付ネジになっているが、本発明はこれに限らず、ネジ頭部５１にフランジ５２が付いていない段付ネジでもよい。
【符号の説明】
【００２１】
１  プロペラファン
２  モータ（振動を発生する機器）
２１  モータ筐体
２２  フランジ部
２２１  嵌合孔
２２２  スリット
２２３  外縁
３  モータ取付台（取付対象物）
３１  モータ固定板
３２  ネジ孔
３３  フレーム
４  防振ゴム
４１  円柱部
４１１  外周面
４２  上端板
４２１  外周端
４３  下端板
４３１  外周端
４４  ネジ挿通孔
４５  連結壁
５  取付ネジ
５１  ネジ頭部
５２  フランジ
Ｏ  軸
Ｓ１〜Ｓ３  面積
【図１】
2017057907.tif 000003
【図２】
2017057907.tif 000004
【図３】
2017057907.tif 000005
【図４】
2017057907.tif 000006
【図５】
2017057907.tif 000007